(57)【要約】      （修正有）【課題】オイルフィルタレンチとエレメントシートの係合強度を高めるのみならず、多くの異なる車種のオイルフィルタ交換作業に適用されて、高い実用性を有するオイルフィルタレンチを提供する。【解決手段】オイルフィルタレンチ６０は、盤面を有し、該盤面の一側にレンチが嵌合される嵌合部が設けられ、別側にオイルフィルタのエレメントシート７０に嵌合される第１係止部６３と第２係止部６４が設けられ、該第１係止部の内環面に多角形状の係止溝座が開設されて、オイルフィルタのエレメントシートの多角形状嵌合ヘッド７３に嵌合され、第２係止部は環側の第１位置及び第２位置に、それぞれ複数の溝６４１〜６４６が開設されて、エレメントシートのリブ７２１〜７２４に嵌合される。【選択図】図７
0003170585.tif 000002
【実用新案登録請求の範囲】
【請求項１】
オイルフィルタレンチにおいて、盤面を有し、該盤面の一側にレンチ嵌合用の嵌合部が設けられ、該盤面の別側にオイルフィルタのエレメントシートと係合される第１係止部と第２係止部が設けられ、該第１係止部は該盤面の別側より延伸され、該第１係止部の内環面に多角形状の係止溝座が開設され、該第２係止部は該第１係止部の外端より延伸され、該第２係止部の環側の第１位置及び第２位置に、それぞれ複数の溝が開設されたことを特徴とする、オイルフィルタレンチ。
【請求項２】
請求項１記載のオイルフィルタレンチにおいて、該盤面の一側の嵌合部は内四角孔を具えた凸柱とされたことを特徴とする、オイルフィルタレンチ。
【請求項３】
請求項１記載のオイルフィルタレンチにおいて、該第１係止部の係止溝座の辺角数がエレメントシートの嵌合ヘッドの辺角数に対応することを特徴とする、オイルフィルタレンチ。
【請求項４】
請求項１記載のオイルフィルタレンチにおいて、該第２係止部の内環面の内径は該第１係止部の係止溝座より大きいことを特徴とする、オイルフィルタレンチ。
【請求項５】
請求項１記載のオイルフィルタレンチにおいて、該第２係止部の環側の第１位置に複数の溝が開設され、及び該第１位置と１８０度で対向する第２位置に複数の溝が開設されたことを特徴とする、オイルフィルタレンチ。
【考案の詳細な説明】
【技術分野】
【０００１】
本考案は係止強度を高め、且つさらに多くの異なる車種の着脱作業に適用可能であるオイルフィルタレンチに関する。
【背景技術】
【０００２】
自動車のオイルフィルタはエンジンに取付けられ、エンジンルームのエンジンオイルを濾過する。オイルフィルタはフィルタエレメントとエレメントシートを包含し、伝統的なオイルフィルタはフィルタエレメントとエレメントシートが一つにパッケージされ、単独では交換できず、オイルフィルタを交換する時はフィルタエレメントとエレメントシートを同時に交換しなければならず、過度に材料を浪費した。現在、比較的先進の車種はフィルタエレメントとエレメントシートを分離でき、修理工はエレメントシートをエンジンより取り外した後に、単独でフィルタエレメントを交換し、すなわち、新しいフィルタエレメント及びもとのエレメントシートをエンジンに取付けられ、これにより、大幅にオイルフィルタの材料消耗を減らせる。
【０００３】
図１に示されるように、該先進の車種に使用されているエレメントシート１０はカップ状の座体であり、その内部にフィルタエレメント１４を嵌め込むことができ、外部の一側にはネジ部１１が設けられて、エレメントシート１０がエンジンに螺合される。エレメントシート１０外部の別側には接続部１２と、該接続部１２の後端より延伸された多角形の嵌合ヘッド１３が設けられている。オイルフィルタレンチ２０は盤面２１を有し、該盤面２１の一側に、レンチを嵌合する嵌合部２２が設けられ、別側は、内環面に多角形状の係止溝座２３が設けられ、オイルフィルタのエレメントシートの嵌合ヘッド１３と係合可能であり、これによりレンチでオイルフィルタレンチ２０の係止溝座２３を利用し、エレメントシート１０を分離できる。
【０００４】
該オイルフィルタレンチ２０の係止溝座２３の壁面は比較的薄く、且つ一部のエレメントシート１０はプラスチック材料で製造され、このため、オイルフィルタレンチ２０の係止溝座２３とエレメントシート１０の嵌合ヘッド１３は係合強度が比較的弱く、トルク不足で空回りする現象が常々発生し、着脱作業の進行に厳重な影響を与える。
【０００５】
上述の状況を改善するため、すでに第２世代のエレメントシート及びオイルフィルタレンチが開発されている。図２を参照されたい。このエレメントシート３０はカップ状の座体であり、その内部にフィルタエレメント３４が嵌め置かれ、外部の一側にネジ部３１が設けられ、これによりエレメントシート３０がエンジンに螺合される。エレメントシート３０の外部別側には接続部３２と接続部３２後端より延伸された多角形状の嵌合ヘッド３３がある。そのうち、接続部３２には第１リブ３５と、該第１リブ３５の対向位置にある第２リブ３６が設けられている。オイルフィルタレンチ４０は盤面４１を有し、該盤面４１の一側にレンチが嵌合される嵌合部４２が設けられ、別側は内環面に多角形状の係止溝座４３が開設され、該係止溝座４３の外端よりリング４４が延伸され該リング４４の対向位置に該第１リブ３５と該第２リブ３６にそれぞれ対応する第１溝４４１と第２溝４４２が設けられ、エレメントシート３０とオイルフィルタレンチ４０が嵌合される時に、嵌合ヘッド３３と係止溝座４３が嵌合するのみならず、第１リブ３５と第２リブ３６が第１溝４４１と第２溝４４２に係合することにより、大幅にエレメントシート３０とオイルフィルタレンチ４０間の係合強度が高められ、これにより比較的大きなトルクで着脱作業が行えるものとされる。
【０００６】
図３を参照されたい。各メーカーの車種に使用されているエレメントシートの形式は異なり、例えばＡメーカーの車種のエレメントシート５０は二つの対向位置にそれぞれ単一リブ５０１、５０２が設けられ、Ｂメーカーの車種のエレメントシート５１は二つの対向位置にそれぞれ単一リブ５１１と二つのリブ５１２、５１３が設けられ、Ｃメーカーの車種のエレメントシート５２は二つの対向位置にそれぞれ単一リブ５２１と三つのリブ５２２、５２３、５２４が設けられている。このように統一規格のない状況では、それぞれに異なったオイルフィルタレンチ５３、５４、５５を組み合わせて使用しなければならず、組み合わせるオイルフィルタレンチが過多となり、使用に不便であるのみならず、コストがかかる。このほか、Ｂメーカーの車種のエレメントシート５１は、そのリブの設置が１対２の形態とされ、Ｃメーカーの車種のエレメントシート２１は、そのリブの設置が１対３の形態とされ、それぞれに組み合わされるオイルフィルタレンチ５４、５５はエレメントシート５１及びエレメントシート５２に組み合わされる時、嵌合の方向性に注意する必要があり、使用上、比較的不便である。
【考案の概要】
【考案が解決しようとする課題】
【０００７】
ゆえに、いかに一種の、異なる形式のエレメントシートに対応して使用できるオイルフィルタレンチを設計するかが、業者の研究開発の標的となっている。
【課題を解決するための手段】
【０００８】
本考案の目的は、一種のオイルフィルタレンチを提供することにあり、該オイルフィルタレンチは、盤面を有し、該盤面の一側にレンチが嵌合される嵌合部が設けられ、別側にオイルフィルタのエレメントシートに嵌合される第１係止部と第２係止部が設けられ、該第１係止部の内環面に多角形状の係止溝座が開設されて、オイルフィルタの多角形状嵌合ヘッドに嵌合され、第２係止部は環側の第１位置及び第２位置に、それぞれ複数の溝が開設されて、エレメントシートのリブに嵌合される。これにより、オイルフィルタレンチとエレメントシートの係合強度を高めるのみならず、多くの異なる車種のオイルフィルタ交換作業に適用されて、高い実用性を有するものとする。
【０００９】
本考案の目的は、一種のオイルフィルタレンチを提供することにあり、該オイルフィルタレンチは第２係止部の環側の二つの適宜位置に、それぞれ複数の溝が設けられ、異なる方向にオイルフィルタのエレメントシートのリブに嵌合可能であり、これによりオイルフィルタレンチとエレメントシートに比較的多くの嵌合方向の選択が得られ、大幅に使用の便利性が向上する。
【考案の効果】
【００１０】
総合すると、本考案はオイルフィルタレンチのオイルフィルタのエレメントシートとの係合強度を高めただけでなく、さらに多くの異なる車種のオイルフィルタの着脱作業に適用可能で、高い実用性と進歩性を有し、同じ製品はなく刊行物上でも公開されておらず、実用新案登録の要件に符合する。
【図面の簡単な説明】
【００１１】
【図１】周知のオイルフィルタのエレメントシート（一）とオイルフィルタレンチの表示図である。
【図２】周知のオイルフィルタのエレメントシート（二）とオイルフィルタレンチの表示図である。
【図３】周知の各メーカーのオイルフィルタのエレメントシートとオイルフィルタレンチの組み合わせの表示図である。
【図４】本考案のオイルフィルタレンチの表示図である。
【図５】本考案のオイルフィルタレンチの別方向からの表示図である。
【図６】本考案のオイルフィルタレンチの断面図である。
【図７】本考案のオイルフィルタレンチとエレメントシートの分離の表示図である。
【図８】本考案のオイルフィルタレンチとエレメントシートの嵌合の表示図である。
【図９】本考案のオイルフィルタレンチと各形態のエレメントシートの嵌合の表示図である。
【考案を実施するための形態】
【００１２】
本考案の技術内容、構造特徴、達成する目的を詳細に説明するため、以下に実施例を挙げ並びに図面を組み合わせて説明する。
【００１３】
図４、５、６を参照されたい。本考案のオイルフィルタレンチ６０は盤面６１を有し、該盤面６１の一側にレンチと嵌合される嵌合部６２が設けられ、該嵌合部６２は外六角形とされ且つ内四角孔を具えた凸柱とされる。盤面６１の別側にはエレメントシートと嵌合される第１係止部６３と第２係止部６４が設けられる。該第１係止部６３は盤面６１の別側に延伸され、該第１係止部６３の内環面に多角形状を呈する係止溝座６３１が開設され、該係止溝座６３１の辺角の数量は１４個の辺角とされ、第２係止部６４は第１係止部６３の外端より延伸され、第２係止部６４はリング状とされ、その内環面の内径は第１係止部６３の係止溝座６３１より大きい。そのうち、第２係止部６４は環側の二つの適宜位置に、それぞれ複数の溝が開設され、本実施例では、該第２係止部６４は環側の第１位置部分に三つの溝６４１、６４２、６４３が開設され、第１位置と１８０度で対向する第２位置に同様に三つの溝６４４、６４５、６４６が開設されている。
【００１４】
図７、８を参照されたい。本考案のオイルフィルタレンチ６０はオイルフィルタのエレメントシート７０に嵌合され、該エレメントシート７０の外部の一側にはネジ部７１が設けられて、エレメントシート７０がエンジンに螺合される。エレメントシート７０の外部には別に接続部７２と該接続部７２の後端より延伸された多角形状の嵌合ヘッド７３が設けられている。本実施例では、該連接部７２の第１位置にリブ７２１が設けられ、第１位置と１８０度で対向する第２位置部分に三つのリブ７２２、７２３、７２４が設けられている。嵌合時、オイルフィルタレンチ６０の係止溝座６３１がオイルフィルタのエレメントシート７０の嵌合ヘッド７３に嵌合され、第２係止部６４の各溝６４２、６４４、６４５、６４６がエレメントシート７０のリブ７２１、７２２、７２３、７２４に嵌合され、第１係止部６３と第２係止部６４のエレメントシート７０との嵌合係止を利用し、大幅にオイルフィルタレンチ６０とエレメントシート７０の係止強度を高める。且つ、本考案の第２係止部６４の環側の第１位置部分に三つの溝６４１、６４２、６４３が開設され、及び、第１位置と１８０度で対向する第２位置にも同様に三つの溝６４４、６４５、６４６が開設され、これによりエレメントシート７０に嵌合される時、異なる１８０度方向で、第２係止部６４の各溝６４５、６４３、６４２、６４１をエレメントシート７０のリブ７２１、７２２、７２３、７２４に嵌合でき、比較的多くの嵌合方向の選択が可能で、使用の便利性が増す。
【００１５】
図９を参照されたい。本考案のオイルフィルタレンチ６０は第２係止部６４の環側の第１位置部分に三つの溝６４１、６４２、６４３が開設され、該第１位置と１８０度で対向する第２位置に三つの溝６４４、６４５、６４６が開設され、これにより異なるメーカーのオイルフィルタのエレメントシートに嵌合でき、もし、エレメントシート７０のリブ７２１、７２２、７２３、７２４の位置が１対３の分布形態であり、エレメントシート８０のリブ８０１、８０２、８０３の位置が１対２の分布形態であり、エレメントシート９０のリブ９０１、９０２の位置が１対１の分布形態であっても、本考案のオイルフィルタレンチ６０はいずれも嵌合、係合可能で、これにより異なる車種のオイルフィルタの着脱作業を実行でき、実用性に符合する。
【符号の説明】
【００１６】
１０  エレメントシート          １１  ネジ部            １２  接続部
１３  嵌合ヘッド                １４  フィルタエレメント
２０  オイルフィルタレンチ      ２１  盤面              ２２  嵌合部
２３  係止溝座
３０  エレメントシート          ３１  ネジ部            ３２  接続部
３３  嵌合ヘッド                ３４  フィルタエレメント  ３５  第１リブ
３６  第２リブ
４０  オイルフィルタレンチ      ４１  盤面              ４２  嵌合部
４３  係止溝座
４４  リング                    ４４１  第１溝          ４４２  第２溝
５０  エレメントシート
５０１  リブ                    ５０２  リブ
５１  エレメントシート
５１１  リブ                    ５１２  リブ            ５１３  リブ
５２  エレメントシート
５２１  リブ                    ５２２  リブ            ５２３  リブ
５２４リブ
５３  オイルフィルタレンチ      ５４  オイルフィルタレンチ
５５  オイルフィルタレンチ
６０  オイルフィルタレンチ
６１  盤面
６２  嵌合部
６３  第１係止部                ６３１  係止溝座
６４  第２係止部
６４１  溝                      ６４２  溝                ６４３  溝
６４４  溝                      ６４５  溝                ６４６  溝
７０  エレメントシート          ７１  ネジ部
７２  接続部
７２１  リブ                    ７２２  リブ              ７２３  リブ
７２４  リブ
７３  嵌合ヘッド
８０  エレメントシート
８０１  リブ                    ８０２  リブ              ８０３  リブ
９０  エレメントシート
９０１  リブ                    ９０２  リブ
【図１】
0003170585.tif 000003
【図２】
0003170585.tif 000004
【図３】
0003170585.tif 000005
【図４】
0003170585.tif 000006
【図５】
0003170585.tif 000007
【図６】
0003170585.tif 000008
【図７】
0003170585.tif 000009
【図８】
0003170585.tif 000010
【図９】
0003170585.tif 000011